(57)【特許請求の範囲】
【請求項１】
通信回線を介して送信される発信元情報を受信可能な受信手段を備えた親機と、少なくとも１つの子機とを備え、該親機は、前記受信手段によって受信された発信元情報に基づいて、鳴動信号を送信する子機を選択可能な通信端末装置において、
複数の発信元情報をグループ化するために、各発信元情報にグループ情報を付加して記憶するグループ情報記憶手段と、
前記グループ情報に親機、又は子機を対応付けて記憶することにより、各グループに対して呼出先となる子機、又は親機を特定するための呼出先情報記憶手段と、
その呼出先情報記憶手段におけるグループ情報と呼出先との対応関係を設定するための呼出先設定手段と、
前記受信手段により発信元情報が受信された場合に、グループ情報記憶手段に記憶されている発信元情報の中に受信された発信元情報と一致するものがあるか否かを判断する判断手段と、
その判断手段により一致するものがあると判断された場合に、その発信元情報に対応するグループ情報を参照し、さらに、呼出先情報記憶手段においてそのグループ情報に対応する呼出先に前記鳴動信号を送信するように制御する制御手段とを備え、
前記呼出先情報記憶手段は、前記呼出先設定手段により前記グループと呼出先との対応関係が新規に設定された場合には、設定前の対応関係を消去することを特徴とする通信端末装置。
【請求項２】
前記呼出先設定手段は、前記子機に設けられ、任意の子機から所望とする前記グループ情報を指定することで、呼出先情報記憶手段において、指定されたグループの呼出先として前記任意の子機が設定されることを特徴とする請求項１に記載の通信端末装置。
【請求項３】
通信回線を介して送信される発信元情報を受信可能な受信手段を備えた親機と、少なくとも１つの子機とを備え、該親機は、前記受信手段によって受信された発信元情報に基づいて、鳴動信号を送信する子機を選択可能な通信端末装置において、
複数の発信元情報をグループ化するために、各発信元情報にグループ情報を付加して記憶するグループ情報記憶手段と、
前記グループ情報に親機、又は子機のうちのいずれか１つだけを対応付けて記憶することにより、各グループに対して呼出先となる子機、又は親機のうちのいずれか１つだけを特定するための呼出先情報記憶手段と、
その呼出先情報記憶手段におけるグループ情報と呼出先との対応関係を設定するための呼出先設定手段と、
前記受信手段により発信元情報が受信された場合に、グループ情報記憶手段に記憶されている発信元情報の中に受信された発信元情報と一致するものがあるか否かを判断する判断手段と、
その判断手段により一致するものがあると判断された場合に、その発信元情報に対応するグループ情報を参照し、さらに、呼出先情報記憶手段においてそのグループ情報に対応する呼出先に前記鳴動信号を送信するように制御する制御手段とを備え、
前記呼出先設定手段は、前記子機に設けられ、該子機から所望とする前記グループ情報を新規に指定することで、前記呼出先情報記憶手段において、新規に指定されたグループ情報に対応する呼出先が当該子機に設定変更されることを特徴とする通信端末装置。
【請求項４】
前記発信元情報は、電話番号であることを特徴とする請求項１乃至請求項３のいずれかに記載の通信端末装置。
【発明の詳細な説明】
【０００１】
【発明の属する技術分野】
本発明は、通信回線を介して発信元情報を受信する受信手段を備えた親機と少なくとも１つの子機とから構成される通信端末装置に関し、特に、前記発信元情報をグループ化し、該グループに対応する呼出先を記憶する呼出先情報記憶手段を親機に設けると共に、この呼出先情報記憶手段に記憶される呼出先を設定変更する呼出先設定手段を各子機にも設けることにより、受信した発信元情報に基づいて呼び出す呼出先を子機からも容易に変更することが可能となると共に、通信回線を介した受信に対する適切な呼び出しをすることが可能な通信端末装置に関するものである。
【０００２】
【従来の技術】
従来より、電話機等の通信端末装置においては、発信元情報を受信可能な受信手段を備えた通信端末装置が種々提案されている。例えば、親機と複数の子機とから構成される通信端末装置においては、各発信元情報に対応した親機又は子機の呼び出し先を、選択キー等の入力によって選択することにより、個別に設定できる親機が提案されている。これにより、親機は受信した発信元情報に基づいて、予め設定された子機を選択して呼び出すことが可能となる。
【０００３】
【発明が解決しようとする課題】
しかしながら、このような通信端末装置では、受信した発信元情報に対する親機又は子機の呼出先は変更がなされない限り固定的なものであるため、利用者が所定の発信元情報に対し呼出先として設定された子機が置かれている部屋から別の子機が置かれている部屋に移動した場合には、当該別の子機は、前記所定の発信元情報受信の報知をしないため、利用者は当該受信に対して適切な対応をとることができないという問題がある。また、受信した発信元情報に対する親機又は子機の呼出先を変更するためには、利用者は親機の置かれている部屋まで行って、設定し直す必要があり、呼出先の変更が煩雑であるという問題がある。
【０００４】
そこで、本発明は、上述した問題点を解決するためになされたものであり、通信回線を介して発信元情報を受信する受信手段を備えた親機と少なくとも１つの子機とから構成される通信端末装置において、前記発信元情報をグループ化し、該グループに対応する呼出先を記憶する呼出先情報記憶手段を親機に設けると共に、この呼出先情報記憶手段に記憶される呼出先を設定変更する呼出先設定手段を各子機にも設けることにより、受信した発信元情報に基づいて呼び出す呼出先を子機からも容易に変更することが可能となると共に、通信回線を介した受信に対する適切な呼び出しをすることが可能な通信端末装置を提供することを目的とする。
【０００５】
【課題を解決するための手段】
前記目的を達成するため請求項１に係る通信端末装置は、通信回線を介して送信される発信元情報を受信可能な受信手段を備えた親機と、少なくとも１つの子機とを備え、該親機は、前記受信手段によって受信された発信元情報に基づいて、鳴動信号を送信する子機を選択可能な通信端末装置において、複数の発信元情報をグループ化するために、各発信元情報にグループ情報を付加して記憶するグループ情報記憶手段と、前記グループ情報に親機、又は子機を対応付けて記憶することにより、各グループに対して呼出先となる子機、又は親機を特定するための呼出先情報記憶手段と、その呼出先情報記憶手段におけるグループ情報と呼出先との対応関係を設定するための呼出先設定手段と、前記受信手段により発信元情報が受信された場合に、グループ情報記憶手段に記憶されている発信元情報の中に受信された発信元情報と一致するものがあるか否かを判断する判断手段と、その判断手段により一致するものがあると判断された場合に、その発信元情報に対応するグループ情報を参照し、さらに、呼出先情報記憶手段においてそのグループ情報に対応する呼出先に前記鳴動信号を送信するように制御する制御手段とを備え、前記呼出先情報記憶手段は、前記呼出先設定手段により前記グループと呼出先との対応関係が新規に設定された場合には、設定前の対応関係を消去することを特徴とする。
【０００６】
このような特徴を有する請求項１に係る通信端末装置によれば、該通信端末装置は、通信回線を介して送信される発信元情報を受信可能な受信手段を備えた親機と、少なくとも１つの子機とから構成され、各発信元情報にグループ情報を付加して記憶するグループ情報記憶手段と、各グループに対して呼出先となる子機、又は親機を特定するための呼出先情報記憶手段とが設けられている。また、その呼出先情報記憶手段におけるグループ情報と呼出先との対応関係は、呼出先設定手段によって設定される。また、呼出先設定手段によりグループと呼出先との対応関係が新規に設定された場合には、そのグループに対して設定前の呼出先が消去され、新規の呼出先のみがそのグループに対する呼出先として設定される。そして、親機に設けられた前記受信手段により発信元情報が受信され、前記グループ情報記憶手段に記憶されている発信元情報の中に当該受信された発信元情報と一致するものがあると判断された場合には、前記グループ情報記憶手段に記憶されている該発信元情報に対応するグループ情報を参照し、さらに、前記呼出先設定手段によって設定されて、呼出先情報記憶手段に記憶されているそのグループ情報に対応する呼出先に前記鳴動信号が送信される。
このように、各発信元情報にグループ情報を付加して記憶することにより、複数の発信元情報をグループ化することが可能になると共に、該グループに対応する呼出先となる親機又は子機が呼出先設定手段によって設定されるため、例えば、利用者が所定のグループに対して呼出先として設定されている親機又は子機の置かれている部屋から、別の子機が置かれている部屋に移動した場合には、この所定のグループに対する呼出先を前記呼出先設定手段により別の子機の方に変更することにより、所定のグループに含まれる複数の発信元情報を、元々設定されている呼出先から他の呼出先に一括して容易に変更することができ、通信回線を介した受信に対する適切な呼出を行うことができる。
また、グループ情報に対応する呼出先として、新規に設定された呼出先にのみ鳴動信号が送信されるため、当該グループ情報に対応した利用者が移動した所に設置されている親機又は子機を介して呼び出し可能となり、次の使用者が消去操作を行うことが不必要となる。
【０００７】
また、請求項２に係る通信端末装置は、請求項１に記載の通信端末装置において、前記呼出先設定手段は、前記子機に設けられ、任意の子機から所望とする前記グループ情報を指定することで、呼出先情報記憶手段において、指定されたグループの呼出先として前記任意の子機が設定されることを特徴とする。
【０００８】
このような特徴を有する請求項２に係る通信端末装置によれば、請求項１に記載の通信端末装置において、各子機に呼出先設定手段が設けられており、任意の子機から所定のグループ情報を指定することで、該任意の子機が呼出情報記憶手段にこの指定したグループの呼出先として設定される。
このように、呼出先設定手段が各子機に設けられているため、受信した発信元情報に基づいて呼び出す呼出先を子機からも容易に設定することが可能となり、わざわざ親機の置かれている部屋に行って、変更操作を行うといった手間を省くことができる。また、その際、子機において所望のグループを指定することで、そのグループに含まれる複数の発信元情報の呼出先を一括して変更することが可能となるため、効率よく呼出先の変更を行うことができる。
【０００９】
また、請求項３に係る通信端末装置は、通信回線を介して送信される発信元情報を受信可能な受信手段を備えた親機と、少なくとも１つの子機とを備え、該親機は、前記受信手段によって受信された発信元情報に基づいて、鳴動信号を送信する子機を選択可能な通信端末装置において、複数の発信元情報をグループ化するために、各発信元情報にグループ情報を付加して記憶するグループ情報記憶手段と、前記グループ情報に親機、又は子機のうちのいずれか１つだけを対応付けて記憶することにより、各グループに対して呼出先となる子機、又は親機のうちのいずれか１つだけを特定するための呼出先情報記憶手段と、その呼出先情報記憶手段におけるグループ情報と呼出先との対応関係を設定するための呼出先設定手段と、前記受信手段により発信元情報が受信された場合に、グループ情報記憶手段に記憶されている発信元情報の中に受信された発信元情報と一致するものがあるか否かを判断する判断手段と、その判断手段により一致するものがあると判断された場合に、その発信元情報に対応するグループ情報を参照し、さらに、呼出先情報記憶手段においてそのグループ情報に対応する呼出先に前記鳴動信号を送信するように制御する制御手段とを備え、前記呼出先設定手段は、前記子機に設けられ、該子機から所望とする前記グループ情報を新規に指定することで、前記呼出先情報記憶手段において、新規に指定されたグループ情報に対応する呼出先が当該子機に設定変更されることを特徴とする。
【００１０】
このような特徴を有する請求項３に係る通信端末装置によれば、該通信端末装置は、通信回線を介して送信される発信元情報を受信可能な受信手段を備えた親機と、少なくとも１つの子機とから構成され、各発信元情報にグループ情報を付加して記憶するグループ情報記憶手段と、各グループに対して呼出先となる子機、又は親機のうちのいずれか１つだけを特定するための呼出先情報記憶手段とが設けられている。また、その呼出先情報記憶手段におけるグループ情報と呼出先との対応関係は、呼出先設定手段によって設定される。また、各子機に呼出先設定手段が設けられており、この子機から所定のグループ情報を指定することで、当該子機が呼出情報記憶手段にこの指定したグループ情報に対応する呼出先として設定される。そして、親機に設けられた受信手段により発信元情報が受信され、グループ情報記憶手段に記憶されている発信元情報の中に当該受信された発信元情報と一致するものがあると判断された場合には、グループ情報記憶手段に記憶されている該発信元情報に対応するグループ情報を参照し、さらに、呼出先設定手段によって設定されて、呼出先情報記憶手段に記憶されているそのグループ情報に対応する呼出先に鳴動信号が送信される。
このように、各発信元情報にグループ情報を付加して記憶することにより、複数の発信元情報をグループ化することが可能になると共に、該グループに対応する呼出先となる親機又は子機が呼出先設定手段によって設定されるため、例えば、利用者が所定のグループに対して呼出先として設定されている親機又は子機の置かれている部屋から、別の子機が置かれている部屋に移動した場合には、この所定のグループに対する呼出先を呼出先設定手段により別の子機の方に変更することにより、所定のグループに含まれる複数の発信元情報を、元々設定されている呼出先から他の呼出先に一括して容易に変更することができ、通信回線を介した受信に対する適切な呼出を行うことができる。
また、呼出先設定手段が各子機に設けられているため、受信した発信元情報に基づいて呼び出す呼出先を子機からも容易に設定することが可能となり、わざわざ親機の置かれている部屋に行って、変更操作を行うといった手間を省くことができる。また、その際、子機において所望のグループを指定することで、そのグループに含まれる複数の発信元情報の呼出先を一括して当該子機に変更することが可能となるため、効率よく呼出先の変更を行うことができる。
【００１１】
【００１２】
【００１３】
さらに、請求項４に係る通信端末装置は、請求項１乃至請求項３のいずれかに記載の通信端末装置において、前記発信元情報は、電話番号であることを特徴とする。
【００１４】
このような特徴を有する請求項４に係る通信端末装置によれば、請求項１乃至請求項３のいずれかに記載の通信端末装置において、前記発信元情報は、電話番号であるため、前記グループ情報記憶手段に、この電話番号に対応させて、各グループ情報を記憶させることが可能となる。
【００１５】
【発明の実施の形態】
以下、本発明に係る通信端末装置について、本発明を留守番録音機能付きのコードレス電話機につき具体化した実施形態に基づいて図面を参照しつつ詳細に説明する。先ず、本実施形態に係る留守番録音機能付きのコードレス電話機の親機の概略構成について図１及び図２に基づき説明する。図１は本実施形態に係る留守番録音機能付きのコードレス電話機の親機の概略構成を示すブロック図である。図２は本実施形態に係る留守番録音機能付きのコードレス電話機の親機の操作パネルの正面図である。
【００１６】
先ず、親機の概略構成を図１に基づいて説明する。図１に示すように、電話回線２０に接続される親機１の概略構成は、発信元電話番号付加判別手段２、着信信号検出手段３、ラインリレー４、発信元電話番号判別手段５、終話検出手段６、通話回路７、応答メッセージ送出手段８、伝言メッセージ録音手段９、アンプ１０、スピーカ１１、ＣＰＵ１２、ＲＯＭ１３、ＥＥＰＲＯＭ１４、ＲＡＭ１５、ダイヤル発信手段１６、無線送受信部１７、アンテナ１８、操作パネル１９、ＬＣＤ（liquid crystal display）２１、タイマ２２、及び呼び出し手段２３等を備えている。
電話回線２０には、加入者線交換機からアナログ回線等に送出される発信元情報としての発信元電話番号データ等を受信する機能を有する発信元電話番号受信端末を起動するために、交換機から送られる発信元電話番号受信端末起動信号を受信する発信元電話番号付加判別手段２が、回線閉結用のラインリレー４を介さずに直接接続されている。同様に、電話回線２０には、着信信号を検出する着信信号検出手段３が、回線閉結用のラインリレー４を介さずに直接接続されている。さらに、電話回線２０には、ラインリレー４を介して、発信元電話番号データ等を含む通話情報を受信し、発信元電話番号データを検出する発信元電話番号判別手段５、発信者の終話を検出する終話検出手段６、及び電話回線２０との通話を行う通話回路７が接続されている。
【００１７】
一方、親機１の全体を制御するＣＰＵ１２が設けられ、発信元電話番号付加判別手段２、着信信号検出手段３、ラインリレー４、発信元電話番号判別手段５、及び終話検出手段６はＣＰＵ１２に接続されている。また、通話回路７には、応答メッセージを送出する応答メッセージ送出手段８と、発信者の伝言メッセージを記録し再生する伝言メッセージ録音手段９とが接続され、この応答メッセージ送出手段８と伝言メッセージ録音手段９とは、ＣＰＵ１２にも接続されている。そして、伝言メッセージ録音手段９には、アンプ１０を介して伝言メッセージを発声するスピーカ１１が接続されている。
【００１８】
また、ＣＰＵ１２には、電話機機能等を実行するのに必要な各種プログラム等を記憶しているＲＯＭ１３、各種の登録データやフラッグ等を記憶しているＥＥＰＲＯＭ１４、及び各種ディジタルデータを一時記憶するＲＡＭ１５が接続されている。また、ＥＥＰＲＯＭ１４には、後述の電話番号データテーブル７５（図５参照）が記憶される電話番号データテーブル記憶エリア１４Ａや、後述の呼出先データテーブル７６（図６参照）が記憶される呼出先データテーブル記憶エリア１４Ｂ等が設けられている。
【００１９】
また、ＣＰＵ１２には、通話回路７に接続され、テンキー等で構成されるダイヤル発信手段１６、子機５１（図３参照）に送信すべき情報を変調してアンテナ１８を介して送出する無線送受信部１７、再生操作や発信操作等の操作を行うための各種キーや入力指示情報等が表示されるＬＣＤ２１等が配置されている操作パネル１９、一定時間を計測してタイムアウト信号を出力するタイマ２２、呼び出し音により着信を知らせる呼び出し手段２３、及びマイク２４等が接続されている。
【００２０】
次に、親機１の操作パネル１９の構成を図２に基づいて説明する。図２に示すように、操作パネル１９にはＬＣＤ２１が左上側に配設されるとともに、マイク２４及び留守番録音機能をセットする留守録ボタン４８が右上側に配設されている。更に、操作パネル１９上の左側位置には、ダイヤル入力を行うためのダイヤルキー３８が配置されている。かかるダイヤルキー３８には、「０」乃至「９」の数値キー、アスタリスクキー３９、及び、シャープキー４１が包含されている。また、ダイヤルキー３８の左下側にはスピーカホンキー４３が配置されており、かかるスピーカホンキー４３は、通話をマイク２４とスピーカ１１に切り換えてスピーカホンモード（不図示の受話器がマイク２４とスピーカ１１とに切り換えられて、受話器を取ることなく通話を行えるモード）を設定するためのキーである。また、マイク２４は、スピーカホンモードに切り換えられた際に、通話者の声を採音するものである。
また、操作パネル１９のダイヤルキー３８の右側には、各種機能を選択するための機能ボタン４２等が設けられている。また、ダイヤルキー３８の上側には、機能ボタン４２によって選択された機能の設定項目がＬＣＤ２１に表示された際に設定の入力をするセットキー４５、及び設定項目の内容表示を順次変更させる送りキー４６、４７が配置されている。
更に、操作パネル１９の右側下方には、伝言メッセージ録音手段９に録音されている伝言の再生指示を入力する再生キーＰ、及び録音再生等を停止させる停止ボタン４４等の親機１として必要な各種のキーが配置されている。
【００２１】
次に、子機の概略構成について図３及び図４に基づいて説明する。図３は本実施形態に係る留守番録音機能付きのコードレス電話機の子機の概略構成を示すブロック図である。図４は本実施形態に係る留守番録音機能付きのコードレス電話機の子機の操作パネルの要部の正面図である。尚、このようなコードレス電話機の親機１には複数の子機の接続が可能であるが、本実施形態においては、説明上２台の子機が接続されているものとする。また、親機１に接続される各子機には、予め「１」又は「２」の識別番号が付されている（以下、各々「子機１号」、「子機２号」という）。そして、各子機１号、２号の構成は、全てほぼ同じ構成である。
【００２２】
先ず、子機１号の概略構成を図３に基づいて説明する。図３に示すように、子機１号５１の概略回路構成は、ＣＰＵ５２、ＲＯＭ５３、ＲＡＭ５４、操作パネル５５、ＬＣＤ（liquid crystal display）５６、無線送受信部５７、アンテナ５８、呼び出し手段５９、アンプ部６０、スピーカ６１、及びマイク６２等を備えている。ＣＰＵ５２、ＲＯＭ５３、ＲＡＭ５４、操作パネル５５、ＬＣＤ５６、無線送受信部５７、呼び出し手段５９、及びアンプ部６０は、バス線により相互に接続されている。また、無線送受信部５７には、アンテナ５８が接続され、アンプ部６０には、スピーカ６１及びマイク６２が接続されている。尚、子機１号５１は、不図示の充電器に載置されている。
【００２３】
ＣＰＵ５２は、ＲＯＭ５３に記憶されている制御プログラム等に従って子機１号５１の全体を制御する。操作パネル５５は、キースイッチ群等からなり、使用者の操作に応じた操作信号をＣＰＵ５２に出力する。ＬＣＤ５６は、使用者の操作等に応じた情報や入力指示情報等が表示される。無線送受信部５７は、親機１に送信すべき情報を変調してアンテナ５８を介して送出すると共に、親機１からの情報を受信し、復調してＣＰＵ５２に出力する。呼び出し手段５９は、呼び出し音により着信を知らせる。アンプ部６０は、ＣＰＵ５２の制御により音声情報や報知情報を増幅してスピーカ６１に出力し、マイク６２からの音声情報等を変調してＣＰＵ５２に出力する。
【００２４】
次に、子機１号５１の操作パネル５５の構成を図４に基づいて説明する。図４に示すように、子機１号５１の操作パネル５５の正面には、入力キーとして、１２個のダイヤルキー６５、外線キー６６、内線／保留キー６７、電話帳キー６８、リダイヤル／ポーズキー６９、着信記憶／キャッチキー７０、スピーカホンキー７１、音量キー７２、及び機能ボタン７３が設けられている。
【００２５】
ダイヤルキー６５は、使用者が被呼先を特定するための呼出識別データとしての電話番号等を入力するためのものである。外線キー６６は、外線にアクセスするときに使用するためのものである。内線／保留キー６７は、内線にアクセスするときや、外線を保留しておくときに使用するためのものである。電話帳キー６８は、電話帳を使用するためのものである。リダイヤル／ポーズキー６９は、リダイヤル及びポーズのために使用するものである。着信記憶／キャッチキー７０は、着信した電話番号の電話帳への記憶、及びキャッチホンを受けるために使用するものである。スピーカホンキー７１は、通話をマイク６２とスピーカ６１に切り換えてスピーカホンモード（子機１号５１を手に取ることなく通話を行えるモード）を設定するためのキーである。音量キー７２は、スピーカ６１の出力音量を調整するために使用するものである。また、機能ボタン７３は、各種機能を選択するために使用するものである。
【００２６】
次に、親機１のＥＥＰＲＯＭ１４の電話番号データテーブル記憶エリア１４Ａに記憶されている電話番号データテーブル７５について図５に基づいて説明する。図５は本実施形態に係る親機１のＥＥＰＲＯＭ１４の電話番号データテーブル記憶エリア１４Ａに記憶される電話番号データテーブル７５の一例を示す図である。
図５に示されるように、電話番号データテーブル７５は、発信元を表す「電話番号」、この「電話番号」に対応する発信元の「名前」、及びこの「電話番号」に対応する「グループ名」から構成されている。この電話番号データテーブル７５の「グループ名」には、後述のように「Ａ」、「Ｂ」、「Ｃ」、「Ｄ」のいずれかが選択されて登録される。すなわち、電話番号データテーブル７５に格納される電話番号はＡ〜Ｄのいずれかのグループに属することになる。また、各「Ａ」、「Ｂ」、「Ｃ」、「Ｄ」には、本実施形態の通信端末装置の各利用者が対応している。
具体的に、「電話番号」が「０５２１２３４５６７」の場合には、この「電話番号」に対応する「名前」は「アイウエオ」、及び「グループ名」は「Ａ」である。即ち、発信元の「電話番号」が「０５２１２３４５６７」の場合には、発信元の「名前」は「アイウエオ」、所属する「グループ名」は「Ａ」である。
また、「電話番号」が「０５２１２３５６７８」の場合には、この「電話番号」に対応する「名前」は「カキクケコ」、及び「グループ名」は「Ｄ」である。即ち、発信元の「電話番号」が「０５２１２３５６７８」の場合には、発信元の「名前」は「カキクケコ」、所属する「グループ名」は「Ｄ」である。
また、「電話番号」が「０５２１２３６７８９」の場合には、この「電話番号」に対応する「名前」は「サシスセソ」、及び「グループ名」は「Ｃ」である。即ち、発信元の「電話番号」が「０５２１２３６７８９」の場合には、発信元の「名前」は「サシスセソ」、所属する「グループ名」は「Ｃ」である。
また、「電話番号」が「０５２１２３７８９０」の場合には、この「電話番号」に対応する「名前」は「タチツテト」、及び「グループ名」は「Ｂ」である即ち、発信元の「電話番号」が「０５２１２３７８９０」の場合には、発信元の「名前」は「タチツテト」、所属する「グループ名」は「Ｂ」である。。
また、「電話番号」が「０５２１２３８９０１」の場合には、この「電話番号」に対応する「名前」は「ナニヌネノ」、及び「グループ名」は「Ｃ」である。即ち、発信元の「電話番号」が「０５２１２３８９０１」の場合には、発信元の「名前」は「ナニヌネノ」、所属する「グループ名」は「Ｃ」である。
さらに、「電話番号」が「０５２１２３９０１２」の場合には、この「電話番号」に対応する「名前」は「ハヒフヘホ」、及び「グループ名」は「Ａ」である。即ち、発信元の「電話番号」が「０５２１２３９０１２」の場合には、発信元の「名前」は「ハヒフヘホ」、所属する「グループ名」は「Ａ」である。
尚、図５には、登録されたデータ例として６件の例が示されているが、最大登録件数は記憶容量が許す限り任意である。
【００２７】
次に、親機１のＥＥＰＲＯＭ１４の呼出先データテーブル記憶エリア１４Ｂに記憶されている呼出先データテーブル７６について図６に基づいて説明する。図６は本実施形態に係る親機１のＥＥＰＲＯＭ１４の呼出先データテーブル記憶エリア１４Ｂに記憶される呼出先データテーブル７６の一例を示す図である。
図６に示すように、呼出先データテーブル７６は、電話番号データテーブル７５のグループ名に共通する「グループ名」、及びこの「グループ名」に対応する「呼び出し先」から構成されている。この「呼び出し先」は本実施形態では子機１号、子機２号及び親機であり、鳴動信号の送信先を表している。また、各「グループ名」に対応する「呼び出し先」は後述のように、親機又は各子機１号、２号から設定変更することが可能である。
具体的に、「グループ名」が「Ａ」の場合には、「呼び出し先」は「子機１号」である。即ち、電話番号データテーブル７５において「グループ名」が「Ａ」に設定されている電話番号からの着信の場合には、「子機１号」に鳴動信号が送信される。
また、「グループ名」が「Ｂ」の場合には、「呼び出し先」は「子機２号」である。即ち、電話番号データテーブル７５において「グループ名」が「Ｂ」に設定されている電話番号からの着信の場合には、「子機２号」に鳴動信号が送信される。
また、「グループ名」が「Ｃ」の場合には、「呼び出し先」は「親機」である。即ち、電話番号データテーブル７５において「グループ名」が「Ｃ」に設定されている電話番号からの着信の場合には、「親機」に鳴動信号が送信される。
さらに、「グループ名」が「Ｄ」の場合には、「呼び出し先」は「子機１号」である。即ち、電話番号データテーブル７５において「グループ名」が「Ｄ」に設定されている電話番号からの着信の場合には、「子機１号」に鳴動信号が送信される。
尚、図６には、「グループ名」として４件の例が示されているが、最大登録件数は任意である。即ち、４名以上の利用者が利用可能である。
【００２８】
ここで、発信元電話番号付加判別手段２及び発信元電話番号判別手段５により受信手段が構成される。また、ダイヤルキー３８、機能ボタン４２、セットキー４５、及び各送りキー４６、４７等により親機１の電話番号データテーブル７５の登録手段が構成される。また、ＥＥＰＲＯＭ１４の電話番号データテーブル記憶エリア１４Ａは、グループ情報記憶手段として機能する。そして、「グループ名」がグループ情報を構成する。また、ＥＥＰＲＯＭ１４の呼出先データテーブル記憶エリア１４Ｂは、呼出先情報記憶手段として機能する。また、ダイヤルキー３８、機能ボタン４２、セットキー４５、及び各送りキー４６、４７等により親機１の呼出先設定手段が構成され、ダイヤルキー６５，機能ボタン７３等により各子機１号、２号の呼出先設定手段が構成される。また、ＣＰＵ１２、ＲＯＭ１３、及びＲＡＭ１５は、判断手段及び制御手段を構成する。
【００２９】
次に、親機１における電話番号データテーブル７５の各データの登録処理の手順について図７に基づいて説明する。図７は本実施形態に係る親機１のＥＥＰＲＯＭ１４の電話番号データテーブル記憶エリア１４Ａに記憶される電話番号データテーブル７５の各データの登録処理のフローチャートである。
先ず、図７に示されるように、ステップ（以下、Ｓと略記する）１において、ＣＰＵ１２は、操作パネル１９の機能ボタン４２の押下により、ＬＣＤ２１に「キノウ：ＴＥＬトオロク」を表示し、続くセットキー４５の押下により電話番号データテーブル７５の各データ登録機能の設定処理を実行する。
【００３０】
続いて、Ｓ２において、ＣＰＵ１２は、ＬＣＤ２１に「ＴＥＬ？：」を表示する。そして、ＣＰＵ１２は、ダイヤルキー３８の各キーを順次押下されると、この各キーに対応する数値をＬＣＤ２１に表示すると共に、セットキー４５の押下により、それまで入力された番号データを電話番号として電話番号データテーブル７５（図５参照）の「電話番号」に記憶する。
例えば、ダイヤルキー３８のテンキーを、「０」、「５」、「２」、「１」、「２」、「３」、「４」、「５」、「６」、「７」と順次押下された場合には、ＬＣＤ２１に「ＴＥＬ？：０５２１２３４５６７」と表示し、セットキー４５を一度押下されると、電話番号データテーブル７５の「電話番号」に「０５２１２３４５６７」を記憶する。
【００３１】
そして、Ｓ３において、ＣＰＵ１２は、ＬＣＤ２１に「ナマエ？：」を表示する。そして、ＣＰＵ１２は、文字入力モードに移行し、ダイヤルキー３８の各キーを順次押下されると、この各キーに対応する文字、記号をＬＣＤ２１に「ナマエ？：」に続けて表示すると共に、電話番号データテーブル７５（図５参照）の「電話番号」に対応する「名前」として記憶する。
例えば、ＣＰＵ１２は、ダイヤルキー３８の「１」のキーを一度押下されてセットキー４５を一度押下されると、ＬＣＤ２１に「ナマエ？：ア」と表示する。続いて、「１」のキーを二度押下されてセットキー４５を一度押下されると、ＬＣＤ２１に「ナマエ？：アイ」と表示する。続いて、「１」のキーを三度押下されてセットキー４５を一度押下されると、ＬＣＤ２１に「ナマエ？：アイウ」と表示する。続いて、「１」のキーを四度押下されてセットキー４５を一度押下されると、ＬＣＤ２１に「ナマエ？：アイウエ」と表示する。続いて、「１」のキーを五度押下されてセットキー４５を一度押下されると、ＬＣＤ２１に「ナマエ？：アイウエオ」と表示する。そして、再度、セットキー４５を押下されると、それまでに入力された文字、記号データを電話番号データテーブル７５（図５参照）の「０５２１２３４５６７」の「電話番号」に対応する「名前」に「アイウエオ」を記憶する。
【００３２】
続いて、Ｓ４において、ＣＰＵ１２は、ＬＣＤ２１に「グループ？：」を表示する。そして、ＣＰＵ１２は、ダイヤルキー３８のキーを押下されると、このキーに対応する文字、記号をＬＣＤ２１に「グループ？：」に続けて表示すると共に、セットキー４５の押下により、その入力された文字あるいは記号データを電話番号データテーブル７５（図５参照）の「電話番号」に対応する「グループ名」として記憶する。
例えば、ＣＰＵ１２は、ダイヤルキー３８の「１」のキーを一度押下されてセットキー４５を一度押下されると、ＬＣＤ２１に「グループ？：Ａ」と表示する。そして、セットキー４５を一度押下されると、電話番号データテーブル７５（図５参照）の「０５２１２３４５６７」の「電話番号」に対応する「グループ名」に「Ａ」を記憶する。
【００３３】
そして、Ｓ５において、ＣＰＵ１２は、登録終了か否かを判定する。即ち、ＬＣＤ２１に「オワリ？：Ｙ／Ｎ」と表示し、ダイヤルキー３８の「９」のキーか「５」のキーのいずれかが押下されるのを待つ。そして、ダイヤルキー３８の「５」のキーが押下された場合には、登録が終了していないと判定し（Ｓ５：ＮＯ）、再度、Ｓ２以降の処理を実行する。
また、ダイヤルキー３８の「９」のキーが押下された場合には、登録終了と判定し（Ｓ５：ＹＥＳ）、親機１の電話番号データテーブル７５のデータの登録処理を終了する。
【００３４】
次に、親機１における呼出先データテーブル７６の「呼び出し先」の変更処理について図８及び図９に基づいて説明する。尚、親機１及び各子機１号、２号からの呼出先データテーブル７６の「呼び出し先」の変更処理の手順は、ほぼ同じであるため、子機２号による呼出先データテーブル７６の「呼び出し先」の変更処理の手順について説明する。図８は本実施形態に係る親機１のＥＥＰＲＯＭ１４の呼出先データテーブル記憶エリア１４Ｂに記憶される呼出先データテーブル７６の「呼び出し先」の子機２号による変更処理のフローチャートである。図９は本実施形態に係る子機２号による呼出先データテーブル７６の「呼び出し先」の変更処理後を示す図である。
先ず、図８に示されるように、Ｓ１１において、子機２号のＣＰＵ５２は、操作パネル５５の機能ボタン７３の押下により、ＬＣＤ５６に「キノウ：グループトオロク」を表示し、続くダイヤルキー６５の「０」のキーの押下により呼出先データテーブル７６の「呼び出し先」データ変更機能の設定処理を実行する。
【００３５】
続いて、Ｓ１２において、ＣＰＵ５２は、ＬＣＤ５６に「グループ？：」を表示する。そして、ＣＰＵ５２は、ダイヤルキー６５のキーを押下されると、このキーに対応する文字、記号をＬＣＤ５６に「グループ？：」に続けて表示すると共に、続くダイヤルキー６５の「０」のキーの押下により、先に入力された文字、記号データを呼出先データテーブル７６（図６参照）の「グループ名」として記憶する。
例えば、ＣＰＵ５２は、ダイヤルキー６５の「１」のキーを一度押下されて、続くダイヤルキー６５の「０」のキーを押下されると、ＬＣＤ５６に「グループ？：Ａ」と表示し、「０」のキーをもう一度押下されると、ＲＡＭ５４に「グループ名」として「Ａ」を記憶する。
【００３６】
そして、Ｓ１３において、ＣＰＵ５２は、変更終了か否かを判定する。即ち、ＬＣＤ５６に「グループＡ：Ｙ／Ｎ」と表示し、ダイヤルキー６５の「９」のキーか「５」のキーのいずれかが押下されるのを待つ。そして、ダイヤルキー６５の「５」のキーが押下された場合には、変更が終了していないと判定し（Ｓ１３：ＮＯ）、再度、Ｓ１２以降の処理を実行する。
また、ダイヤルキー６５の「９」のキーが押下された場合には、ＣＰＵ５２は、変更終了と判定し（Ｓ１３：ＹＥＳ）、Ｓ１４において、無線送受信部５７及びアンテナ５８を介して、ＲＡＭ５４から再度、読み込んだ「グループ名」である「Ａ」と一致する呼出先データテーブル７６の「グループ名」に対する「呼び出し先」を「子機２号」に変更することを要求する変更要求信号を親機１に送信する。そして、該変更要求信号をアンテナ１８及び無線送受信部１７を介して受信したＣＰＵ１２は、呼出先データテーブル７６の「グループ名」が「Ａ」に対する「呼び出し先」を「子機１号」から「子機２号」に変更して記憶し、当該変更処理を終了する。
【００３７】
この変更された呼出先データテーブル７６を図９に基づいて説明する。図９に示すように、変更後の呼出先データテーブル７７は、「グループ名」が「Ａ」に対応する「呼び出し先」が「子機１号」から「子機２号」に変更されている。
よって、「グループ名」が「Ａ」の場合には、「呼び出し先」は「子機２号」である。即ち、「グループ名」が「Ａ」に設定されている電話番号からの着信の場合には、「子機２号」に鳴動信号が送信される。
同様に、「グループ名」が「Ｂ」の場合にも、「呼び出し先」は「子機２号」である。即ち、「グループ名」が「Ｂ」に設定されている電話番号からの着信の場合には、「子機２号」に鳴動信号が送信される。
また、「グループ名」が「Ｃ」の場合には、「呼び出し先」は「親機」である。即ち、「グループ名」が「Ｃ」に設定されている電話番号からの着信の場合には、「親機」に鳴動信号が送信される。
さらに、「グループ名」が「Ｄ」の場合には、「呼び出し先」は「子機１号」である。即ち、「グループ名」が「Ｄ」に設定されている電話番号からの着信の場合には、「子機１号」に鳴動信号が送信される。
従って、同様にして、親機及び各子機１号、２号から該親機及び各子機１号、２号を「呼び出し先」とする「グループ名」の設定変更を行うことができる。
【００３８】
次に、着信があった場合の親機１及び各子機１号、２号の呼び出し処理について図１０に基づいて説明する。図１０は本実施形態に係る親機１が着信信号を検出した場合の親機１及び各子機１号、２号の呼び出し処理のフローチャートである。
図１０に示すように、Ｓ２１において、ＣＰＵ１２は、着信信号検出手段３により着信信号を検出するまで待機し（Ｓ２１：ＮＯ）、着信信号検出手段３により着信信号を検出すると（Ｓ２１：ＹＥＳ）、発信元電話番号付加判別手段２及び発信元電話番号判別手段５により発信元情報である発信元電話番号を検出する。
【００３９】
そして、Ｓ２２において、ＣＰＵ１２は、この検出した発信元電話番号と一致する電話番号が電話番号データテーブル７５（図５参照）の「電話番号」に登録されているか否か判定する。
そして、前記発信元電話番号が、電話番号データテーブル７５の「電話番号」に登録されていない場合には（Ｓ２２：ＮＯ）、Ｓ２３において、ＣＰＵ１２は親機１の呼び出し手段２３及び全ての子機の呼び出し手段５９に鳴動信号を出力して処理を終了する。即ち、親機１及び全ての子機が鳴動する。
【００４０】
また、前記発信元電話番号が、電話番号データテーブル７５の「電話番号」に登録されている場合には（Ｓ２２：ＹＥＳ）、Ｓ２４において、ＣＰＵ１２は、電話番号データテーブル７５の当該「電話番号」に対応する「グループ名」を読み込み、ＲＡＭ１５に「グループ名」データとして記憶する。
例えば、「電話番号」が「０５２１２３４５６７」の場合には、「グループ名」として「Ａ」が読み込まれて（図５参照）、ＲＡＭ１５に「グループ名」データとして記憶される。
【００４１】
続いて、Ｓ２５において、ＣＰＵ１２は、ＲＡＭ１５から「グループ名」データを読み出し、呼出先データテーブル７７（図９参照）から当該「グループ名」に対応する「呼び出し先」を読み込み、ＲＡＭ１５に「呼び出し先」データとして記憶する。
例えば、「グループ名」が「Ａ」の場合には、「呼び出し先」として「子機２号」が読み込まれて（図９参照）、ＲＡＭ１５に「呼び出し先」データとして記憶される。
【００４２】
そして、Ｓ２６において、ＣＰＵ１２は、ＲＡＭ１５から「呼び出し先」データを読み出し、当該「呼び出し先」に無線送受信部１７及びアンテナ１８等を介して鳴動信号を送信し、処理を終了する。
例えば、ＲＡＭ１５から読み出した「呼び出し先」データが「子機２号」の場合には、子機２号に無線送受信部１７及びアンテナ１８等を介して鳴動信号を送信して処理を終了する。また、「電話番号」データやそれに対応付けられた「名前」データを子機２号に送信して、子機２号側でＬＣＤ５６に表示するように構成してもよい。
尚、電話番号データテーブル７５の「電話番号」に格納される電話番号データは、利用者により数字キーを用いて直接番号入力されるものに限らず、着信履歴に残された電話番号データ等から選択することにより格納されてもよく、通常の電話帳データを兼用してもよい。
【００４３】
以上詳細に説明した通り本実施形態に係る留守番録音機能付きのコードレス電話機では、親機１のＥＥＰＲＯＭ１４に複数の「電話番号」とこの各「電話番号」に対応する「名前」及び「グループ名」とから構成される電話番号データテーブル７５が登録されている。また、該ＥＥＰＲＯＭ１４には、各「グループ名」とこの各「グループ名」に対応する「呼び出し先」とから構成される呼び出し先データテーブル７６が登録されている。そして、該呼出先データテーブル７６の各「グループ名」に対応する「呼び出し先」は、親機又は各子機１号、２号から、各機能ボタン４２、７３や各ダイヤルキー３８、６５等を介して変更可能であり、変更後の呼出先データテーブル７７が、再度、登録される（図９参照）。また、親機１は、通信回線２０を介して発信元情報を受信した場合には、電話番号データテーブル７５から該発信元情報に対応する「電話番号」を検索する。そして、一致する「電話番号」が登録されている場合には、該「電話番号」に対応する「グループ名」を読み込み、呼び出し先変更後の呼出先データテーブル７７から当該「グループ名」に対応する「呼び出し先」を読み込む。続いて、この「呼び出し先」に無線送受信部１７及びアンテナ１８等を介して、鳴動信号を送信する。
【００４４】
したがって、各発信元情報の「電話番号」に「グループ名」を付加して電話番号データテーブル７５に登録されるため、複数の発信元情報をグループ化することが可能となる。また、該「グループ名」に対応する「呼び出し先」が呼出先データテーブル７６に登録されると共に、該「呼び出し先」が、親機又は各子機１号、２号から、各機能ボタン４２、７３や各ダイヤルキー３８、６５等を介して容易に変更可能であるため、例えば、利用者が所定のグループに対し「呼び出し先」として設定された子機が置かれている部屋から別の子機が置かれている部屋に移動した場合には、当該別の子機からこの別の子機を所定のグループの呼出先として再登録できるため、従来のように、わざわざ親機の置かれている部屋に行って、発信元情報毎に呼出先の変更操作を行うといった手間を省くことができる。また、その際、子機において所望のグループを指定することで、そのグループに含まれる複数の発信元情報の呼出先を一括して変更することが可能となるため、効率よく呼出先の変更を行うことができる。また、「グループ名」に対応する「呼び出し先」として、新規に設定された「呼び出し先」にのみ鳴動信号が送信されるため、当該「グループ名」に対応した利用者が移動した所に設置されている親機又は各子機１号、２号を介して呼び出し可能となり、通信回線を介した受信に対する適切な呼び出しをすることが可能となる。
【００４５】
尚、本発明は前記実施形態に限定されることはなく、本発明の要旨を逸脱しない範囲内で種々の改良、変形が可能であることは勿論である。例えば、以下のようにしてもよい。
（ａ）前記実施形態では、親機１には、２台の子機を接続しているが、３台以上の子機を接続可能にしてもよい。この場合には、呼出先データテーブル７６においても、それに対応した「呼び出し先」が予め登録される。
（ｂ）前記実施形態では、親機１又は各子機１号、２号を１台ずつ個別に呼び出すように呼出先データテーブル７６の「呼び出し先」に登録していたが、同時に２台以上呼び出すように複数登録してもよい。
（ｃ）前記実施形態では、「グループ名」に対応する「呼び出し先」として、新規に設定された「呼び出し先」にのみ鳴動信号が送信されたが、設定前の「呼び出し先」と新規の「呼び出し先」との両方に鳴動信号が送信される構成にしてもよい。例えば、呼出先データテーブル７７（図９参照）の「グループ名」の「Ａ」に対応する「呼び出し先」を「子機１号、子機２号」として、発信元の電話番号が「０５２１２３４５６７」の場合には、子機１号と子機２号に鳴動信号を送信する構成にしてもよい。これにより、各「グループ名」に対応する「呼び出し先」として、設定前の「呼び出し先」と新規の「呼び出し先」との両方に鳴動信号が送信されるため、当該「グループ名」に対応した利用者が設定前の「呼び出し先」と新規の「呼び出し先」とのどちらにいても呼び出し可能となり、移動のたびに呼出先の変更を行うといった面倒を無くすことができる。
【００４６】
【発明の効果】
以上説明した通り請求項１に係る通信端末装置では、該通信端末装置は、通信回線を介して送信される発信元情報を受信可能な受信手段を備えた親機と、少なくとも１つの子機とから構成され、各発信元情報にグループ情報を付加して記憶するグループ情報記憶手段と、各グループに対して呼出先となる子機、又は親機を特定するための呼出先情報記憶手段とが設けられている。また、その呼出先情報記憶手段におけるグループ情報と呼出先との対応関係は、呼出先設定手段によって設定される。また、呼出先設定手段によりグループと呼出先との対応関係が新規に設定された場合には、そのグループに対して設定前の呼出先が消去され、新規の呼出先のみがそのグループに対する呼出先として設定される。そして、親機に設けられた前記受信手段により発信元情報が受信され、前記グループ情報記憶手段に記憶されている発信元情報の中に当該受信された発信元情報と一致するものがあると判断された場合には、前記グループ情報記憶手段に記憶されている該発信元情報に対応するグループ情報を参照し、さらに、前記呼出先設定手段によって設定されて、呼出先情報記憶手段に記憶されているそのグループ情報に対応する呼出先に前記鳴動信号が送信される。
このように、各発信元情報にグループ情報を付加して記憶することにより、複数の発信元情報をグループ化することが可能になると共に、該グループに対応する呼出先となる親機又は子機が呼出先設定手段によって設定されるため、例えば、利用者が所定のグループに対して呼出先として設定されている親機又は子機の置かれている部屋から、別の子機が置かれている部屋に移動した場合には、この所定のグループに対する呼出先を前記呼出先設定手段により別の子機の方に変更することにより、所定のグループに含まれる複数の発信元情報を、元々設定されている呼出先から他の呼出先に一括して容易に変更することができ、通信回線を介した受信に対する適切な呼出を行うことができる通信端末装置を提供することができる。
また、グループ情報に対応する呼出先として、新規に設定された呼出先にのみ鳴動信号が送信されるため、当該グループ情報に対応した利用者が移動した所に設置されている親機又は子機を介して呼び出し可能となり、次の使用者が消去操作を行うことが不必要となる通信端末装置を提供することができる。
【００４７】
また、請求項２に係る通信端末装置では、請求項１に記載の通信端末装置において、各子機に呼出先設定手段が設けられており、任意の子機から所定のグループ情報を指定することで、該任意の子機が呼出情報記憶手段にこの指定したグループの呼出先として設定される。
このように、呼出先設定手段が各子機に設けられているため、受信した発信元情報に基づいて呼び出す呼出先を子機からも容易に設定することが可能となり、わざわざ親機の置かれている部屋に行って、変更操作を行うといった手間を省くことができる通信端末装置を提供することができる。また、その際、子機において所望のグループを指定することで、そのグループに含まれる複数の発信元情報の呼出先を一括して変更することが可能となるため、効率よく呼出先の変更を行うことができる通信端末装置を提供することができる。
【００４８】
また、請求項３に係る通信端末装置では、該通信端末装置は、通信回線を介して送信される発信元情報を受信可能な受信手段を備えた親機と、少なくとも１つの子機とから構成され、各発信元情報にグループ情報を付加して記憶するグループ情報記憶手段と、各グループに対して呼出先となる子機、又は親機のうちのいずれか１つだけを特定するための呼出先情報記憶手段とが設けられている。また、その呼出先情報記憶手段におけるグループ情報と呼出先との対応関係は、呼出先設定手段によって設定される。また、各子機に呼出先設定手段が設けられており、この子機から所定のグループ情報を指定することで、当該子機が呼出情報記憶手段にこの指定したグループ情報に対応する呼出先として設定される。そして、親機に設けられた受信手段により発信元情報が受信され、グループ情報記憶手段に記憶されている発信元情報の中に当該受信された発信元情報と一致するものがあると判断された場合には、グループ情報記憶手段に記憶されている該発信元情報に対応するグループ情報を参照し、さらに、呼出先設定手段によって設定されて、呼出先情報記憶手段に記憶されているそのグループ情報に対応する呼出先に鳴動信号が送信される。
このように、各発信元情報にグループ情報を付加して記憶することにより、複数の発信元情報をグループ化することが可能になると共に、該グループに対応する呼出先となる親機又は子機が呼出先設定手段によって設定されるため、例えば、利用者が所定のグループに対して呼出先として設定されている親機又は子機の置かれている部屋から、別の子機が置かれている部屋に移動した場合には、この所定のグループに対する呼出先を呼出先設定手段により別の子機の方に変更することにより、所定のグループに含まれる複数の発信元情報を、元々設定されている呼出先から他の呼出先に一括して容易に変更することができ、通信回線を介した受信に対する適切な呼出を行うことができる通信端末装置を提供することができる。
また、呼出先設定手段が各子機に設けられているため、受信した発信元情報に基づいて呼び出す呼出先を子機からも容易に設定することが可能となり、わざわざ親機の置かれている部屋に行って、変更操作を行うといった手間を省くことができる。また、その際、子機において所望のグループを指定することで、そのグループに含まれる複数の発信元情報の呼出先を一括して当該子機に変更することが可能となるため、効率よく呼出先の変更を行うことができる通信端末装置を提供することができる。
【００４９】
【００５０】
さらに、請求項４に係る通信端末装置では、請求項１乃至請求項３のいずれかに記載の通信端末装置において、前記発信元情報は、電話番号であるため、前記グループ情報記憶手段に、この電話番号に対応させて、各グループ情報を記憶させることが可能な通信端末装置を提供することができる。
【図面の簡単な説明】
【図１】  本実施形態に係る留守番録音機能付きのコードレス電話機の親機の概略構成を示すブロック図である。
【図２】  本実施形態に係る留守番録音機能付きのコードレス電話機の親機の操作パネルの正面図である。
【図３】  本実施形態に係る留守番録音機能付きのコードレス電話機の子機の概略構成を示すブロック図である。
【図４】  本実施形態に係る留守番録音機能付きのコードレス電話機の子機の操作パネルの要部の正面図である。
【図５】  本実施形態に係る親機のＥＥＰＲＯＭの電話番号データテーブル記憶エリアに記憶される電話番号データテーブルの一例を示す図である。
【図６】  本実施形態に係る親機のＥＥＰＲＯＭの呼出先データテーブル記憶エリアに記憶される呼出先データテーブルの一例を示す図である。
【図７】  本実施形態に係る親機のＥＥＰＲＯＭの電話番号データテーブル記憶エリアに記憶される電話番号データテーブルの各データの登録処理のフローチャートである。
【図８】  本実施形態に係る親機のＥＥＰＲＯＭの呼出先データテーブル記憶エリアに記憶される呼出先データテーブルの「呼び出し先」の子機２号による変更処理のフローチャートである。
【図９】  本実施形態に係る子機２号による呼出先データテーブルの「呼び出し先」の変更処理後を示す図である。
【図１０】  本実施形態に係る親機が着信信号を検出した場合の親機及び各子機１号、２号の呼び出し処理のフローチャートである。
【符号の説明】
１            親機
２            発信元電話番号付加判別手段
３            着信信号検出手段
４            ラインリレー
５            発信元電話番号判別手段
１２、５２    ＣＰＵ
１３、５３    ＲＯＭ
１４          ＥＥＰＲＯＭ
１５、５４    ＲＡＭ
１７、５７    無線送受信部
１８、５８    アンテナ
１９、５５    操作パネル
２０          電話回線
２１、５６    ＬＣＤ
３８、６５    ダイヤルキー
４２、７３    機能ボタン
４５          セットキー
４６、４７    送りキー
５１          子機１号
７５          電話番号データテーブル
７６、７７    呼出先データテーブル
【図１】
0003911887.tif 000002
【図２】
0003911887.tif 000003
【図３】
0003911887.tif 000004
【図４】
0003911887.tif 000005
【図５】
0003911887.tif 000006
【図６】
0003911887.tif 000007
【図７】
0003911887.tif 000008
【図８】
0003911887.tif 000009
【図９】
0003911887.tif 000010
【図１０】
0003911887.tif 000011